(57)【特許請求の範囲】
【請求項１】
クラウン部の全周囲にひさし部を放射状に設け、該クラウン部の下部裏側にすべりを設けた帽子において、前記ひさし部の内周側端部に前記すべりを帽子全周にわたって縫い付け、前記すべりを頭部に当接する布帛と前記クラウン部に面する網目状裏地との積層構造とし、前記網目状裏地の上端部を包み込むように前記布帛の上端部を折り返し、これら布帛と網目状裏地とを前記すべりの上端部において互いに縫い合わせたことを特徴とする帽子。
【請求項２】
前記網目状裏地の開口率が５０％〜９５％であることを特徴とする請求項１に記載の帽子。
【請求項３】
前記網目状裏地の厚さが０．１ｍｍ〜３．０ｍｍであることを特徴とする請求項１又は請求項２に記載の帽子。
【発明の詳細な説明】
【技術分野】
【０００１】
本発明は、クラウン部の下部裏側にすべりを設けた帽子に関し、更に詳しくは、蒸れを抑制して快適性を向上するようにした帽子に関する。
【背景技術】
【０００２】
一般に、帽子は着帽者の頭部を覆うクラウン部と該クラウン部から突き出したひさし部とを備え、クラウン部の下部裏側にすべりを設けた構成になっている（例えば、特許文献１及び特許文献２参照）。
【０００３】
上記すべりは、着帽者の頭部に直接接触する部材である。従来、すべりの素材として、抗菌防臭効果を付与したポリエステル製の布帛が一般的に使用されている。
【０００４】
しかしながら、上記ポリエステル製の布帛からなるすべりは、抗菌性、防臭性、耐久性の点では優れているものの、着帽者が汗を掻いたとき、その汗を吸収して頭部周りに保持してしまうという欠点がある。そのため、従来の帽子は頭部周りで蒸れ易く、快適性が不十分である。
【特許文献１】特開平１０−６０７２８号公報
【特許文献２】特開２００８−２５０７６号公報
【発明の開示】
【発明が解決しようとする課題】
【０００５】
本発明の目的は、蒸れを抑制して快適性を向上するようにした帽子を提供することにある。
【課題を解決するための手段】
【０００６】
上記目的を達成するための帽子は、クラウン部の全周囲にひさし部を放射状に設け、該クラウン部の下部裏側にすべりを設けた帽子において、前記ひさし部の内周側端部に前記すべりを帽子全周にわたって縫い付け、前記すべりを頭部に当接する布帛と前記クラウン部に面する網目状裏地との積層構造とし、前記網目状裏地の上端部を包み込むように前記布帛の上端部を折り返し、これら布帛と網目状裏地とを前記すべりの上端部において互いに縫い合わせたことを特徴とするものである。
【発明の効果】
【０００７】
本発明では、すべりを頭部に当接する布帛とクラウン部に面する網目状裏地との積層構造とし、すべりの布帛とクラウン部との間に網目状裏地の開口部分に基づく空間を形成するので、着帽者が汗を掻いたとき、布帛により吸収された汗を網目状裏地の開口部分に向かって蒸発させ、更にクラウン部を通して外部に放出することができる。従って、頭部周りでの蒸れを抑制して快適性を向上することができる。
【０００８】
本発明において、網目状裏地とは多数の開口部分を有するシート状の部材を意味し、ネット、メッシュ、孔開き布等を包含するものである。網目状裏地の開口率は５０％〜９５％であることが好ましい。この網目状裏地の開口率とは、網目状裏地を厚さ方向に投影したときの開口部分の面積比率である。また、網目状裏地の厚さは０．１ｍｍ〜３．０ｍｍであることが好ましい。これら条件を満足することにより、蒸れを効果的に抑えることが可能になる。
【発明を実施するための最良の形態】
【０００９】
以下、本発明の構成について添付の図面を参照しながら詳細に説明する。図１は本発明の実施形態からなる帽子を一部切り欠いて示す斜視図である。図１に示すように、この帽子はクラウン部１とひさし部２とを備え、クラウン部１の下部裏側にすべり３を設けた構成になっている。クラウン部１は着帽者の頭部を覆うように碗状に形成されており、該クラウン部１の全周囲にはひさし部２が放射状に設けられている。これらクラウン部１及びひさし部２は、合成繊維、綿、シルク、麻等の布帛から構成されている。
【００１０】
ひさし部２には、合成樹脂製の弾性モノフィラメントからなる複数本の保形リング４が縫い込まれている。これら保形リング４はひさし部２を構成する布帛の間に挟み込まれており、それぞれ縫合糸５により位置ずれを生じないように固定されている。このようにひさし部２に保形リング４を設けることにより、折り畳まれた状態の帽子を弾性モノフィラメント弾性回復力に基づいて元の形状に復元することができる。
【００１１】
図２は図１の帽子におけるクラウン部とひさし部との縫合部分を示す断面図である。図２に示すように、クラウン部１の下端部とひさし部２の内周側端部とは縫合糸６により互いに縫い合わされている。更に、ひさし部２の内周側端部にはすべり３が帽子全周にわたって縫合糸７により縫い付けられている。すべり３はクラウン部１に沿うように折り返されてクラウン部１の下部裏側に配置されている。
【００１２】
上記すべり３は、着帽者の頭部に当接する布帛３１とクラウン部１に面する網目状裏地３２との積層構造になっている。網目状裏地３２は多数の開口部分３２ａを有している。布帛３１の上端部は網目状裏地３２の上端部を包み込むように折り返されており、これら布帛３１と網目状裏地３２とがすべり３の上端部において縫合糸８により互いに縫い合わされている。
【００１３】
図３及び図４はそれぞれ網目状裏地の一例を示す平面図である。網目状裏地３２としては、図３に示すように、繊維フィラメントからなる格子３２ｂと格子間に形成された開口部分３２ａとを有するネット又はメッシュのほか、図４に示すように、布地３２ｃに対してパンチングにより開口部分３２ａを設けた孔開き布を使用することが可能である。網目状裏地３２の素材としては、ポリエステルやナイロンを使用することが可能であるが、高温での帽子の型付け工程を考慮してポリエステルを選択することが望ましい。
【００１４】
図５は着帽時におけるクラウン部とすべりの状態を示す拡大断面図である。着帽時にはすべり３が頭部によってクラウン部１側に押されるため、クラウン部１とすべり３とは互いに近接した位置関係になる。しかしながら、すべり３は頭部に当接する布帛３１とクラウン部１に面する網目状裏地３２との積層構造となっているため、すべり３の布帛３１とクラウン部１との間には網目状裏地３２の開口部分３２ａに基づく空間が十分に確保される。そのため、着帽者が汗を掻いたとき、布帛３１により吸収された汗を網目状裏地３２の開口部分３２ａに向かって蒸発させ、更にクラウン部１を通して外部に放出することができる。従って、頭部周りでの蒸れを抑制して快適性を向上することができる。
【００１５】
網目状裏地３２の開口率は、５０％〜９５％の範囲、より好ましくは、７０％〜９５％の範囲に設定されている。網目状裏地３２の開口率が小さ過ぎると蒸れの抑制効果が不十分になり、逆に大き過ぎると網目状裏地３２の耐久性が低下することになる。
【００１６】
網目状裏地３２の厚さは、０．１ｍｍ〜５．０ｍｍの範囲、より好ましくは、０．５ｍｍ〜３．０ｍｍの範囲に設定されている。網目状裏地３２が薄過ぎると蒸れの抑制効果が不十分になり、逆に厚過ぎると帽子の被り心地に悪影響を及ぼすようになる。
【００１７】
上述した実施形態では１枚の網目状裏地を設けた場合について説明したが、本発明では複数枚の網目状裏地を積層することも可能である。
【実施例】
【００１９】
クラウン部の下部裏側にすべりを設けた帽子において、すべりの構造だけを異ならせた６種類の帽子を製作した。従来例の帽子は、すべりをポリエステル製の布帛だけで構成したものである。実施例１〜５の帽子は、すべりを頭部に当接する布帛とクラウン部に面する網目状裏地との積層構造としたものである。実施例１〜５において、網目状裏地の開口率及び厚さを種々異ならせた。
【００２０】
これら従来例及び実施例１〜５の帽子について、以下の方法により快適性を評価し、その結果を表１に示した。
【００２１】
快適性：
１０人の試験者が２５℃の温度条件下で各帽子を１時間着用し、頭部周りの蒸れについて以下の判定基準に基づいて５段階評価を行った。そして、各帽子について１０人の試験者の評価点を合計し、従来例を１００とする指数にて示した。この指数値が大きいほど着用時の蒸れが少なく快適性が優れていることを意味する。
５：快適である。
４：やや快適である。
３：普通である。
２：やや不快である。
１：不快である。
【００２２】
【表１】
0005078682.tif 000002
【００２３】
この表１に示すように、実施例１〜５の帽子は、従来例に比べて蒸れが少なく快適性に優れたものであった。
【図面の簡単な説明】
【００２４】
【図１】本発明の実施形態からなる帽子を一部切り欠いて示す斜視図である。
【図２】図１の帽子におけるクラウン部とひさし部との縫合部分を示す断面図である。
【図３】網目状裏地の一例を示す平面図である。
【図４】網目状裏地の他の例を示す平面図である。
【図５】着帽時におけるクラウン部とすべりの状態を示す拡大断面図である。
【符号の説明】
【００２５】
１  クラウン部
２  ひさし部
３  すべり
４  保形リング
５〜８  縫合糸
３１  布帛
３２  網目状裏地
３２ａ  開口部分
【図１】
0005078682.tif 000003
【図２】
0005078682.tif 000004
【図３】
0005078682.tif 000005
【図４】
0005078682.tif 000006
【図５】
0005078682.tif 000007